(57)【要約】  適応閾値を使用するシグナリング検出において、シグナリングビット(例えば、ページング インジケータ ビット)によって観測されるチャネル状態は、(例えば、パイロット強度推定値によって)推定される。シグナリングビットのメトリックは、シグナリングビットに対する回復されたシンボルと、推定チャネル状態とに基づいて計算される。適応閾値は、推定チャネル状態に基づいて選択される。シグナリングビットに対する決定は、メトリック、適応閾値、および推定チャネル状態に基づいて得られる。推定チャネル状態の多数の範囲に対する適応閾値に対して、多数の閾値が、各範囲に対して１つの閾値ずつ、得られる。ルックアップテーブルは、閾値を記憶し、任意の所与の推定チャネル状態に対する適切な適応閾値を与える。【選択図】    図５
2008524967.tif 000002
【特許請求の範囲】
【請求項１】
通信システムにおいてシグナリングの検出を行う方法であって、
シグナリングビットのメトリックを計算することと、
シグナリングビットによって観測されるチャネル状態を推定することと、
推定チャネル状態に基づいて、第１の閾値を選択することと、
メトリックと第１の閾値とに基づいて、シグナリングビットに対する決定を得ることとを含む方法。
【請求項２】
シグナリングビットのメトリックを計算することが、
シグナリングビットに対する回復されたシンボルと、推定チャネル状態とに基づいて、シグナリングビットのメトリックを計算することを含む請求項１記載の方法。
【請求項３】
決定を得ることが、
メトリックが第１の閾値よりも大きいときは、シグナリングビットが第１の値であると宣言することと、
メトリックが第１の閾値以下であるときは、シグナリングビットが第２の値であると宣言することとを含む請求項１記載の方法。
【請求項４】
決定を得ることが、
メトリック、第１の閾値、推定チャネル状態、および第２の閾値に基づいて、シグナリングビットに対する決定を得ることを含む請求項１記載の方法。
【請求項５】
決定を得ることが、
推定チャネル状態が第２の閾値よりも小さいときは、シグナリングビットが消去であると宣言することと、
メトリックが第１の閾値よりも大きく、推定チャネル状態が第２の閾値よりも大きいときは、シグナリングビットが第１の値であると宣言することと、
メトリックが第１の閾値よりも小さく、推定チャネル状態が第２の閾値よりも大きいときは、シグナリングビットが第２の値であると宣言することとを含む請求項１記載の方法。
【請求項６】
チャネル状態を推定することが、
パイロットシンボルに基づいて、パイロット強度推定値を得ることと、
パイロット強度推定値を、推定チャネル状態として与えることとを含む請求項１記載の方法。
【請求項７】
チャネル状態を推定することが、
検出されたパイロットシンボルをフィルタにかけることと、
フィルタにかけられたパイロットシンボルに基づいて、パイロット強度推定値を得ることと、
パイロット強度推定値を、推定チャネル状態として与えることとを含む請求項１記載の方法。
【請求項８】
第１の閾値を選択することが、
各範囲がそれぞれの閾値と関係付けられている複数の範囲の中で、推定チャネル状態が何れの範囲内に入るかを判断することと、
推定チャネル状態が入る範囲に基づいて、第１の閾値を選択することとを含む請求項１記載の方法。
【請求項９】
推定チャネル状態が入る範囲に基づいて、第１の閾値を選択することが、
推定チャネル状態が入る範囲に対応する閾値を、第１の閾値として与えることを含む請求項８記載の方法。
【請求項１０】
推定チャネル状態が入る範囲に基づいて、第１の閾値を選択することが、
範囲の中の１つが推定チャネル状態が入る範囲である、少なくとも２つの範囲に対する少なくとも２つの閾値において補間を行い、第１の閾値に対する値を得ることを含む請求項８記載の方法。
【請求項１１】
シグナリングビットを、指定値として送信されているときに、指定値として正確に検出する特定の確率を達成するように、複数の範囲に対する複数の閾値を得ることをさらに含み、指定値が‘１’または‘０’の何れかのビット値である請求項８記載の方法。
【請求項１２】
シグナリングビットが送信されるレートに基づいて、複数の範囲に対する複数の閾値を得ることをさらに含む請求項８記載の方法。
【請求項１３】
パイロットの電力レベルとシグナリングの電力レベルとの差に基づいて、複数の範囲に対する複数の閾値を得ることをさらに含む請求項８記載の方法。
【請求項１４】
通信システムにおける装置であって、
シグナリングビットのメトリックを計算するように動作する計算ユニットと、
シグナリングビットによって観測されるチャネル状態を推定するように動作する推定器と、
推定チャネル状態に基づいて、第１の閾値を与えるように動作するルックアップテーブルと、
メトリックと第１の閾値とに基づいて、シグナリングビットに対する決定を得るように動作する決定ユニットとを含む装置。
【請求項１５】
決定ユニットが、推定チャネル状態と第２の閾値とにも基づいて、シグナリングビットに対する決定を得るように動作する請求項１４記載の装置。
【請求項１６】
ルックアップテーブルが、チャネル状態の複数の範囲に対する複数の閾値を記憶するように動作し、各閾値がチャネル状態の１つの範囲に対応する請求項１４記載の装置。
【請求項１７】
シグナリングビットが、ページングインジケータ(paging indicator, PI)ビット、電力制御ビット、または確認応答ビットである請求項１４記載の装置。
【請求項１８】
通信システムにおける装置であって、
シグナリングビットのメトリックを計算する手段と、
シグナリングビットによって観測されるチャネル状態を推定する手段と、
推定チャネル状態に基づいて、第１の閾値を選択する手段と、
メトリックと第１の閾値とに基づいて、シグナリングビットに対する決定を得る手段とを含む装置。
【請求項１９】
決定を得る手段が、
メトリック、第１の閾値、推定チャネル状態、および第２の閾値に基づいて、シグナリングビットに対する決定を得る手段を含む請求項１８記載の装置。
【請求項２０】
チャネル状態の複数の範囲に対する複数の閾値を記憶する手段をさらに含み、各閾値がチャネル状態の１つの範囲に対応している請求項１８記載の装置。
【請求項２１】
シグナリングビットのメトリックを計算し、
シグナリングビットによって観測されるチャネル状態を推定し、
推定チャネル状態に基づいて、第１の閾値を選択し、
メトリックと第１の閾値とに基づいて、シグナリングビットに対する決定を得るように実施可能な命令を記憶するプロセッサ読み出し可能媒体。
【請求項２２】
命令が、
メトリック、第１の閾値、推定チャネル状態、および第２の閾値に基づいて、シグナリングビットに対する決定を得るようにも実施可能である請求項２１記載のプロセッサ読み出し可能媒体。
【請求項２３】
無線通信システムにおいてシグナリング検出を行う方法であって、
パイロットシンボルに基づいて、パイロット強度推定値を得ることと、
ページングインジケータ（ＰＩ）ビットのメトリックを、ＰＩビットに対する回復されたシンボルとパイロット強度推定値とに基づいて計算することと、
パイロット強度推定値に基づいて、適応閾値を選択することと、
メトリックと適応閾値とに基づいて、ＰＩビットに対する決定を得ることとを含む方法。
【請求項２４】
ＰＩビットに対する決定を得ることが、
メトリック、適応閾値、パイロット強度推定値、およびパイロットの閾値に基づいて、ＰＩビットに対する決定を得ることを含む請求項２３記載の方法。
【請求項２５】
ＰＩビットに対する決定を得ることが、
パイロット強度推定値がパイロットの閾値よりも小さいときは、ＰＩビットが消去であると宣言することと、
メトリックが適応閾値よりも大きく、パイロット強度推定値がパイロットの閾値よりも大きいときは、ＰＩビットがオン値であると宣言することと、
メトリックが適応閾値よりも小さく、パイロット強度推定値がパイロットの閾値よりも大きいときは、ＰＩビットがオフ値であると宣言することとを含む請求項２３記載の方法。
【請求項２６】
適応閾値を選択することが、
各範囲がそれぞれの閾値と関係付けられている複数の範囲の中で、パイロット強度推定値が何れの範囲内に入るかを判断することと、
パイロット強度推定値が入る範囲に対応する閾値を、適応閾値として与えることとを含む請求項２３記載の方法。
【請求項２７】
ＰＩビットを、オン値として送信されているときに、オン値として正確に検出する特定の確率を達成するように、複数の範囲に対する複数の閾値を得ることをさらに含む請求項２６記載の方法。
【請求項２８】
無線通信システムにおける装置であって、
パイロットシンボルに基づいて、パイロット強度推定値を得る手段と、
ページングインジケータ（ＰＩ）ビットのメトリックを、ＰＩビットに対する回復されたシンボルとパイロット強度推定値とに基づいて計算する手段と、
パイロット強度推定値に基づいて、適応閾値を選択する手段と、
メトリックと適応閾値とに基づいて、ＰＩビットに対する決定を得る手段とを含む装置。
【請求項２９】
ＰＩビットに対する決定を得る手段が、
メトリック、適応閾値、パイロット強度推定値、およびパイロットの閾値に基づいて、ＰＩビットに対する決定を得る手段を含む請求項２８記載の装置。
【請求項３０】
パイロットシンボルに基づいて、パイロット強度推定値を得て、
ページングインジケータ（ＰＩ）ビットのメトリックを、ＰＩビットに対する回復されたシンボルとパイロット強度推定値とに基づいて計算し、
パイロット強度推定値に基づいて選択された適応閾値を得て、
メトリックと適応閾値とに基づいて、ＰＩビットに対する決定を得るように実施可能な命令を記憶するプロセッサ読み出し可能媒体。
【請求項３１】
命令が、
メトリック、適応閾値、パイロット強度推定値、およびパイロットの閾値に基づいて、ＰＩビットに対する決定を得るようにも実施可能である請求項３０記載のプロセッサ読み出し可能媒体。
【請求項３２】
無線通信システムにおいてクイック ページング チャネルを処理する方法であって、
第１のページングインジケータ(ＰＩ)ビットのために計算された第１のメトリック値と、推定チャネル状態に基づいて選択された適応閾値とに基づいて、第１のＰＩビットに対する第１の決定を得ることと、
第２のＰＩビットのために計算された第２のメトリック値と、適応閾値とに基づいて、第２のＰＩビットに対する第２の決定を選択的に得ることとを含む方法。
【請求項３３】
第１の決定が、第１のＰＩビットがオフ値であることを示すとき、スリープに入ることと、
第１の決定が、第１のＰＩビットがオフ値でないことを示すとき、第２の決定を得ることとをさらに含む請求項３２記載の方法。
【請求項３４】
第１の決定が、第１のＰＩビットがオフ値でないことを示し、第２の決定が、第２のＰＩビットがオフ値でないことを示すとき、ページングチャネルを処理することをさらに含む請求項３２記載の方法。
【請求項３５】
所与のＰＩビットがオン値として送信されているとき、そのＰＩビットをオン値として正確に検出する特定の確率を達成するように、適応閾値を得ることをさらに含む請求項３２記載の方法。
【請求項３６】
ページングチャネルに対する特定のメッセージ誤り率を達成するように、適応閾値を得ることをさらに含む請求項３２記載の方法。
【請求項３７】
第１のページングインジケータ(ＰＩ)ビットのために計算された第１のメトリック値と、推定チャネル状態に基づいて選択された適応閾値とに基づいて、第１のＰＩビットに対する第１の決定を得て、
第２のＰＩビットのために計算された第２のメトリック値と、適応閾値とに基づいて、第２のＰＩビットに対する第２の決定を選択的に得るように実施可能な命令を記憶するプロセッサ読み出し可能媒体。
【請求項３８】
第１の決定が、第１のＰＩビットがオフ値であることを示すとき、スリープを開始し、
第１の決定が、第１のＰＩビットがオフ値でないことを示すとき、第２の決定を得るようにも実施可能な命令をさらに記憶する請求項３７記載のプロセッサ読み出し可能媒体。
【請求項３９】
第１の決定が、第１のＰＩビットがオフ値でないことを示し、第２の決定が、第２のＰＩビットがオフ値でないことを示すとき、ページングチャネルの処理を開始するように実施可能な命令をさらに記憶する請求項３７記載のプロセッサ読み出し可能媒体。
【発明の詳細な説明】
【技術分野】
【０００１】
本発明は、概ね、通信、より具体的には、ページング インジケータ ビットのようなシグナリングビットを検出するための技術に関する。
【背景技術】
【０００２】
無線通信システムにおける無線デバイス(例えば、セルラ電話)は、通常、任意の所与の瞬間において、“アクティブ”モードまたは“アイドル”モードのような、幾つかのモードの１つにおいて動作するように設計されている。アクティブモードでは、無線デバイスは、例えば、音声またはデータ呼に対して、システム内の１つ以上の基地局とデータを積極的に交換することができる。アイドルモードでは、無線デバイスは、通常、その無線デバイスに適用され得るメッセージのために、ページングチャネル(paging channel, PCH)を監視する。このようなメッセージは、無線デバイスにかかってきた呼（incoming call）の存在を知らせるページメッセージと、無線デバイスのための他の情報およびシステムを保持するオーバーヘッドメッセージとを含み得る。
【０００３】
アイドルモードでは、無線デバイスは、システム内の基地局によって送信された信号を監視するために、電力を消費し続ける。無線デバイスは、携帯型であり、内蔵バッテリによって電力を供給され得る。アイドルモードの無線デバイスによる電力消費は、使用可能なバッテリ電力を低減し、これは、バッテリ充電間のスタンドバイ時間と、呼が発信または着信されたときの通話時間との両者を短くする。したがって、バッテリ寿命を延ばし、スタンドバイ時間を延ばすために、アイドルモードにおける電力消費量を最小化することが、非常に望ましい。
【０００４】
アイドルモードにおける電力消費量を低減する１つの一般的な技術では、ユーザ別メッセージを、送るとしても、指定回数、無線デバイスへページングチャネル上で送る。ページングチャネルは、番号が付されたＰＣＨスロットへ分割される。無線デバイスは、その無線デバイスがユーザ別メッセージを受信し得る特定のＰＣＨスロットを割り当てられる。このようなスロット化されたページングチャネルを使用して、無線デバイスは、“スロット化された（slotted）”モードで動作することができ、それによって、無線デバイスは、連続的ではなく、定期的に、システム内の基地局からのメッセージのために、ページングチャネルを監視する。スロット化されたモードでは、無線デバイスは、その割り当てられたＰＣＨスロットより前に、“スリープ（sleep）”状態から起き（wake up）、“アウェイク(awake)”状態に入り、メッセージのためにページングチャネルを処理する。無線デバイスは、受信したメッセージが、そのデバイスに追加のタスクを行うように要求しているときは、アウェイク状態に留まり、そうでなければ、スリープ状態に戻る。次にアウェイク状態になる間の期間において、無線デバイスは、スリープ状態であり、基地局は、ページまたはユーザ別メッセージを無線デバイスへ送らない。無線デバイスは、バッテリ電力を節約するために、可能な限り多くの回路をスリープ状態に電力を落とす。
【０００５】
アイドルモードにおける電力消費量をさらに低減する別の技術では、クイック ページング チャネル(quick paging channel, QPCH)を使用して、ページメッセージが、無線デバイスのためのページングチャネル上で送信され得るかどうかを示す。ｃｄｍａ２０００において、クイック ページング チャネルは、二値のオン／オフ（On/Off）ビットとして送信される多数のページング インジケータ ビットを運ぶ。無線デバイスは、割り当てられたＰＣＨスロットと関係付けられた各ＱＰＣＨスロットに対して、２つのページング インジケータ ビットを割り当てられる。無線デバイスは、ページング インジケータ ビットを素早く検出し、ページング インジケータ ビットが、メッセージがその無線デバイスのためのページングチャネル上で送信されないことを示しているときは、ページングチャネルを処理せずに、スリープ状態に直ちに入ることができる。
【０００６】
ページング インジケータ ビットの正確な検出は、良い性能を実現し、スタンドバイ時間を向上するのに重要である。ページング インジケータ ビットが実際はオフであるときに、それらをオンとして誤って検出すると、アウェイク時間を増し、送られていないメッセージのためにページングチャネルを処理することになる。逆に、ページング インジケータ ビットが実際はオンであるときに、それらをオフとして誤って検出すると、ページメッセージを見落とすことになり、呼を見落とす結果になり得る。これらの結果は全て望ましくない。
【発明の開示】
【発明が解決しようとする課題】
【０００７】
したがって、技術において、ページング インジケータ ビットを正確に検出する技術が必要とされている。
【課題を解決するための手段】
【０００８】
適応閾値を使用して、シグナリングの検出を行う技術が、本明細書に記載されている。これらの技術は、ページングインジケータ(paging indicator bit, PI)ビット、同報通信インジケータ(broadcast indicator, BI)ビット、構成変更インジケータ(configuration change indicator, CCI)ビット、電力制御(power control, PC)ビット、確認応答(acknowledgement, ACK)ビット、および他の符号化されていないビットのような、種々のタイプのシグナリングに使用され得る。
【０００９】
シグナリングビット(例えば、ＰＩビット)を検出する実施形態では、シグナリングビットによって観測（observe）されるチャネル状態は、(例えば、パイロット強度推定値によって)推定される。チャネル状態は、信号によって観測される全ての結果を含み、信号を確実に受信する能力を決める。シグナリングビットのメトリックは、シグナリングビットに対する回復されたシンボル（recovered symbol）と推定チャネル状態とに基づいて計算される。メトリックに対する適応閾値は、推定チャネル状態に基づいて選択される。推定チャネル状態に対して、第２の閾値も使用され得る。次に、メトリック、適応閾値、推定チャネル状態、および第２の閾値に基づいて、シグナリングビットに対する決定が得られる。一例として、ＰＩ値ビットは、（１）パイロット強度推定値がパイロットの閾値(第２の閾値)よりも小さいときは、消去として、（２）パイロット強度推定値がパイロットの閾値よりも大きく、メトリックが適応閾値よりも小さいときは、オフ値として、または（３）パイロット強度推定値がパイロットの閾値よりも大きく、メトリックが適応閾値よりも大きいときは、オン値として宣言され得る。
【００１０】
推定チャネル状態の多数の範囲に対する適応閾値に対して、多数の閾値を、各範囲に対して１つの閾値ずつ、得ることができる。これらの閾値は、所与のシグナリングビットが、指定値（例えば、オン）として送信されているとき、そのビットをその指定値として正しく検出する所望の確率を達成するように得ることができる。ルックアップテーブルは、多数の閾値を記憶し、任意の所与の推定チャネル状態に対する適切な適応閾値を与え得る。
【００１１】
１つの態様において、通信システムにおいてシグナリングの検出を行う方法であって、シグナリングビットのメトリックを計算することと、シグナリングビットによって観測されるチャネル状態を推定することと、推定チャネル状態に基づいて、第１の閾値を選択することと、メトリックと第１の閾値とに基づいて、シグナリングビットに対する決定を得ることとを含む方法が与えられる。
【００１２】
別の態様において、通信システムにおける装置であって、シグナリングビットのメトリックを計算するように動作する計算ユニットと、シグナリングビットによって観測されるチャネル状態を推定するように動作する推定器と、推定チャネル状態に基づいて、第１の閾値を与えるように動作するルックアップテーブルと、メトリックと第１の閾値とに基づいて、シグナリングビットに対する決定を得るように動作する決定ユニットとを含む装置が与えられる。
【００１３】
別の態様において、第１のページングインジケータ(paging indicator, PI)ビットのために計算された第１のメトリック値と、推定チャネル状態に基づいて選択された適応閾値とに基づいて、第１のＰＩビットに対する第１の決定を得て、第２のＰＩビットのために計算された第２のメトリック値と適応閾値とに基づいて、第２のＰＩビットに対する第２の決定を選択的に得るように実施可能な命令を記憶するプロセッサ読み出し可能媒体が与えられる。
【００１４】
本発明の種々の別の態様および実施形態が、さらに詳しく別途記載される。
【発明を実施するための最良の形態】
【００１５】
本発明の特徴および性質は、別途記載される詳細な説明から、同じ参照符号が全体的に対応するように同定している図面と共に採用されるとき、より明らかになるであろう。
【００１６】
“例示的”という用語は、本明細書において“例、事例、または実例としての役割を果たす”ことを意味するために使用されている。本明細書に記載されている何れの実施形態または設計も、他の実施形態または設計よりも好ましいまたは好都合であると、必ずしも解釈されると限らない。
【００１７】
図１は、無線通信システム100を示している。システム100は、多数の基地局110を含み、基地局110は、多数の無線デバイス120に通信有効範囲を与えている。基地局は、通常、無線デバイスと通信する固定局であり、ベース トランシーバ システム(base transceiver system, BTS)、ノードＢ、アクセスポイント、または何か他の用語でも呼ばれ得る。無線デバイスは、固定型であっても、移動型であってもよく、移動局(mobile station, MS)、ユーザ装置(user equipment, UE)、ユーザ端末(user terminal, UT)、ハンドセット、加入者ユニット、または何か他の用語でも呼ばれ得る。
【００１８】
図１に示されているように、無線デバイスは、システムの全体にわたって散らばり得る。各無線デバイスは、任意の所与の瞬間において、順方向リンクまたは逆方向リンク、あるいはこの両者上で、１つ以上の基地局と通信し得る。順方向リンク(または、ダウンリンク)は、基地局から無線デバイスへの通信リンクを指し、逆方向リンク(または、アップリンク)は、無線デバイスから基地局への通信リンクを指す。図１において、実線の矢印は、基地局から無線デバイスへのユーザ別データ送信を示している。点線の矢印は、無線デバイスが、基地局から、パイロットおよびシグナリング(例えば、ページング インジケータ ビット、ページメッセージ、等)を受信しているが、ユーザ別データ送信ではないことを示している。単純にするために、図１には、逆方向リンク送信は示されていない。
【００１９】
本明細書に記載されているシグナリング検出技術は、符号分割多元接続(Code Division Multiple Access, CDMA)システム、時分割多元接続(Time Division Multiple Access, TDMA)システム、周波数分割多元接続(Frequency Division Multiple Access, FDMA)システム、直交周波数分割多元接続(Orthogonal Frequency Division Multiple Access, OFDMA)システム、等のような、種々の通信システムに使用され得る。ＣＤＭＡシステムは、ｃｄｍａ２０００および広帯域ＣＤＭＡ(Wideband-CDMA, W-CDMA)のような、１つ以上のＣＤＭＡ無線アクセス技術(radio access technology, RAT)を実施し得る。ｃｄｍａ２０００は、ＩＳ−２０００、ＩＳ−８５６、およびＩＳ−９５標準をカバーする。ＴＤＭＡシステムは、グローバル システム フォー モバイル コミュニケーションズ(Global System for Mobile Communications, GSM)のような、１つ以上のＴＤＭＡ ＲＡＴを実施し得る。これらの種々のＲＡＴおよび標準は、技術において周知である。分かり易くするために、シグナリング検出技術は、ｃｄｍａ２０００においてページングチャネル(paging channel, PCH)と組合せて使用されるクイック ページング チャネル(quick paging channel, QPCH)上で送られるページングインジケータ(paging indicator, PI)ビットについて具体的に後述される。
【００２０】
図２は、ｃｄｍａ２０００におけるＱＰＣＨとＰＣＨとのタイミングの整列を示している。ＰＣＨは、ページメッセージをアイドルの無線デバイスへ送るのに使用される。アイドルの無線デバイスとは、システムに登録し、アイドルモード中の無線デバイスである。ページメッセージは、任意のときに送られ、比較的に長いものであり得るので、ページメッセージのためにＰＣＨを監視し続けると、アイドルモード中にバッテリの充電を相当に消耗し得る。ＱＰＣＨおよびＰＣＨは、アイドルの無線通信デバイスが、ページメッセージを受信する時間の僅かな部分の間のみアクティブであることを必要とするように設計される。
【００２１】
ｃｄｍａ２０００において、ＰＣＨは、ＰＣＨスロットへ分割される。各ＰＣＨスロットは、８０ミリ秒（millisecond, ms)の継続期間をもち、４つの２０ミリ秒のフレームへさらに分割される。各無線デバイスは、ＰＣＨスロットを割り当てられ、ＰＣＨスロットは、時間間隔ＴＰＣＨずつ間隔を空けられており、これは、無線デバイスに適用可能なスロット サイクル インデックス(slot cycle index, SCI)によって判断される。各無線デバイスに割り当てられる特定のＰＣＨスロットは、無線デバイスのための識別情報によって判断される。この識別情報は、各無線デバイスに固有の国際移動体加入者識別番号(International Mobile Subscriber Identifier, IMSI)、移動体識別番号(Mobile Identification Number, MEN)、電子通し番号(Electronic Serial Number, ESN)、仮移動体加入者ＩＤ(Temporary Mobile Subscriber ID, TMSI)、等であり得る。２つ以上の無線デバイスが、各ＰＣＨスロットに割り当てられ得る。
【００２２】
ｃｄｍａ２０００において、ＱＰＣＨは、ＱＰＣＨスロットへ分割される。各ＱＰＣＨスロットも、８０ミリ秒の継続期間をもち、そのＱＰＣＨスロットの１００ミリ秒後に始まる１つのＰＣＨスロットと関係付けられている。各ＱＰＣＨスロットは、Ａ、Ｂ、Ａ’、およびＢ’と表示されている４つのフレームにさらに分割される。各フレームは、フルレートで１９２ＰＩビット、ハーフレートで９６ＰＩビットを保持する。したがって、ＱＰＣＨは、フルレートで９６００ＰＩビット／秒か、またはハーフレートで４８００ＰＩビット／秒の何れかで送信され得る。各ＰＩビットは、オン／オフキーイングで送信され、（１）オフビットを表わす‘０’ビット値は、ゼロの電力で送信され、（２）オンビットを表わす‘１’ビット値は、指定された電力レベルで送信される。後述において、‘１’、オン、オンビット、およびオン値は、交換可能に使用され、‘０’、オフ、オフビット、およびオフ値も、交換可能に使用される。
【００２３】
システムに登録している各無線デバイスは、各割り当てられたＱＰＣＨスロットに対して、２つのＰＩビットを割り当てられる。割り当てられたＱＰＣＨスロットは、割り当てられたＰＣＨスロットの１００ミリ秒前に始まるＱＰＣＨスロットである。各割り当てられたＰＩビットの位置は、ハッシュ関数によって判断され、ビットごとに変わる。各割り当てられたＱＰＣＨスロットに対する、割り当てられたＰＩビットの対は、（１）第１のＰＩビットがフレームＡにおいて送られ、第２のＰＩビットがフレームＡ'において送られるか、または（２）第１のＰＩビットがフレームＢにおいて送られ、第２のＰＩビットがフレームＢ'において送られるように、送られる。この送信方式は、２つのＰＩビットが、少なくとも２０ミリ秒分、離され、第２のＰＩビットが、関係付けられたＰＣＨスロットが始まる少なくとも２０ミリ秒前に到達することを保証する。ＱＰＣＨは、ＰＣＨと共に使用され、ＰＣＨの制御チャネルのように機能する。各ＱＰＣＨスロット内のＰＩビットは、ページメッセージが、関係付けられたＰＣＨスロットにおいて送られようとしていることを、無線デバイスに知らせるクイックページング信号である。
【００２４】
基地局が、ページメッセージを無線デバイスへＰＣＨ上で送る(または、無線デバイスに、起きて（wake up）、新しい構成情報を受信するように要求する)とき、基地局は、その無線デバイスに割り当てられたＱＰＣＨスロット内の両者のＰＩビットを“オン”にする。２つ以上の無線デバイスが、任意の所与のＰＩビットにハッシュ／マップし、それを割り当てられ得るので、割り当てられたＰＩビットをオンとして検出することは、無線デバイスが、関係付けられたＰＣＨスロット内のページメッセージ(または、構成情報)を実際に受信することを保証しない。しかしながら、無線デバイスが、検出されたＰＩビットを、無線デバイスがページングまたは他の情報のための関係付けられたＰＣＨスロットを処理する必要がないことを意味するオフとして解釈することもある。次に、無線デバイスは、ＰＩビットを処理した後で、ＰＣＨを処理することなく、電力を切断し得る。ページメッセージは符号化されていて、長いものであり得るので、この早期の電力の切断は、電力消費量を相当に低減し得る。
【００２５】
同報通信インジケータ(broadcast indicator, BI)ビットも、ＰＩビットと同様のやり方で送られ得る。ＢＩビットは、２４００ＢＩビット／秒のレート、すなわち４分の１レートで送られ、したがって、４分の１レートのＰＩビットと呼ばれる。無線デバイスは、ＢＩビットを、ＰＩビットと同様のやり方で処理し得る。
【００２６】
各基地局は、パイロットの既知のシンボルを運ぶパイロットチャネルを送信する。無線デバイスは、パイロットを、コヒーレントなデータ復調、信号強度検出、時間同期、周波数訂正、等のような種々の目的に使用する。パイロットチャネルは、ＴｘＰｐｉｌｏｔと示される所定の電力レベルで送信される。ＱＰＣＨは、パイロット電力レベルからオフセットした電力レベルで送信され、すなわち、ＴｘＰＱＰＣＨ＝ＴｘＰｐｉｌｏｔ＋Δである。なお、ＴｘＰＱＰＣＨは、ＱＰＣＨの電力レベルであり、Δは、構成可能なパラメータである。ｃｄｍａ２０００において、電力のオフセット／デルタΔは、組{−５，−４，−３，−２，−１，０，１，２}から選択され得る。なお、組の中の値は、デシベル(decibel, dB)の単位である。ＱＰＣＨのレートおよび電力のオフセットΔは、拡張システム パラメータ メッセージによって、全無線デバイスへ同報通信される。
【００２７】
図３は、ＱＰＣＨ上で送られたＰＩビットを検出することができる無線デバイス120のブロック図を示している。アンテナ306は、システム内の基地局によって送信された変調された信号を受信し、受信信号を与える。マルチパス環境では、所与の基地局によって送信された変調された信号は、多くの場合に、多数の信号経路を介して無線デバイスに到達する。したがって、アンテナ306からの受信信号は、無線デバイスによって受信されることができる各基地局からの変調された信号の多数のインスタンスを含み得る。受信信号内の各信号のインスタンス(または、マルチパス)は、特定の大きさ、位相、および到達時間と関係付けられる。
【００２８】
受信機ユニット(receiver unit, RCVR)308は、アンテナ306からの受信信号を調整し(例えば、フィルタリング、増幅、または周波数ダウンコンバート)、調整された信号をディジタル化し、データサンプルを与える。それらは、ＩｉｎおよびＱｉｎとして示されている。後述において、“Ｉ”は、同相成分を示し、“Ｑ”は、複素量の直交成分を示している。復調器310は、受信機ユニット308からデータサンプルを受信し、処理する。復調器310内のサーチャ(図３には示されていない)は、受信信号内の強いマルチパスをサーチし、ある特定の基準を満たす各マルチパスを識別する。次に、１つのフィンガプロセッサ320が割り当てられ、目的とする各マルチパス、例えば、十分な強度をもつ各マルチパスを処理する。処理のために割り当てられた各マルチパスは、特定の基地局からであり、特定の到達時間をもつ。これらの２つの情報は、サーチャによって与えられる。
【００２９】
各割り当てられたフィンガプロセッサ320内において、擬似乱数(pseudo-random number, PN)逆拡散器322は、受信機ユニット308からのデータサンプルと、その割り当てられたマルチパスのＰＮ系列とを受信する。このＰＮ系列は、割り当てられたマルチパスと関係付けられた基地局のためのものであり、マルチパスの到達時間に対応する時間オフセットをもつ。ＰＮ逆拡散器322は、データサンプルをＰＮ系列で逆拡散し、逆拡散されたサンプルを与える。
【００３０】
パイロットを回復するために、パイロットプロセッサ324は、逆拡散されたサンプルを、パイロットチャネルに使用されたウォルシュコードでデカバー(または、乗算)し、デカバーされたサンプルを、パイロットのウォルシュコードの長さにわたって蓄積し、検出されたパイロットシンボルを与える。パイロットプロセッサ324は、さらに加えて、検出されたパイロットシンボルをローパスフィルタでフィルタにかけ、フィルタにかけられたパイロットシンボル（pilot symbol）を与える。それらは、ＩｐｉｌｏｔおよびＱｐｉｌｏｔとして示されている。
【００３１】
ＱＰＣＨを処理するために、データプロセッサ326は、逆拡散されたサンプルを、ＱＰＣＨに使用されたウォルシュコードでデカバーし、デカバーされたサンプルを、ＱＰＣＨのウォルシュコードの長さにわたって蓄積し、検出されたデータシンボル(data symbol)を与える。それらは、ＩｓｙｍおよびＱｓｙｍとして示されている。データ復調器(demodulator, Demod)328は、検出されたデータシンボルに対して、フィルタにかけられたパイロットシンボルで、コヒーレント(または、データ)復調を行い、復調されたシンボル(demodulated symbol)を与える。それらは、ＩｄｅｍおよびＱｄｅｍとして示されている。
【００３２】
結合器ユニット330は、全ての割り当てられたフィンガプロセッサ320から、復調されたシンボルを受信し、結合する。結合器ユニット330内において、シンボル結合器332は、全ての割り当てられたフィンガプロセッサ320から、復調されたシンボルを受信し、割り当てられたマルチパスの到達時間に基づいて、これらのシンボルを整列させて、時間的に整列したシンボルを結合する。レートアキュムレータ334は、異なるＱＰＣＨレートのために必要に応じて、多数のシンボルを蓄積し、ＱＰＣＨの回復されたシンボルを与える。それらは、ＩｄａｔａおよびＱｄａｔａとして示されている。例えば、レートアキュムレータ334は、フルレートで２つのシンボル、ハーフレートで４つのシンボル、等を蓄積し得る。パイロット強度推定器336は、全ての割り当てられたフィンガプロセッサ320から、フィルタにかけられた、または検出された、あるいはこの両者のパイロットシンボルを受信し、これらのパイロットシンボルに基づいて、パイロット強度推定値（pilot strength estimate）を得る。それは、ＰＳｅｓｔとして示されている。パイロット強度推定値は、全ての基地局から無線デバイスによって受信された信号の信号強度を示す。
【００３３】
シグナリング検出器340は、ＰＩビットに対する検出を行う。検出器340内において、メトリック計算ユニット342は、回復されたシンボルＩｄａｔａおよびＱｄａｔａと、パイロット強度推定値ＰＳｅｓｔとを受信し、各割り当てられたＰＩビットのメトリックを得る。ルック アップ テーブル346は、パイロット強度推定値を受信し、パイロット強度推定値に応じた適応閾値を与える。決定ユニット344は、各割り当てられたＰＩビットに対するメトリック、適応閾値、およびパイロット強度推定値を受信し、各割り当てられたＰＩビットに対する決定を得る。各ＰＩビットの決定は、割り当てられたＰＩビットが、オン(‘１’)、オフ(‘０’)、または消去として検出されることを示し得る。消去（erasure）は、ＰＩビットが不確か過ぎて、オンまたはオフとして決定できないことを示す。
【００３４】
制御装置350は、無線デバイスの種々の処理ユニットの動作を指示する。メモリユニット352は、制御装置350によって使用されるプログラムコードおよびデータを記憶する。
【００３５】
ＱＰＣＨの処理をさらに詳しく次に記載する。ｉ番目のマルチパスを処理するために割り当てられたi番目のフィンガプロセッサ320のデータ復調器328からの復調されたシンボルは、次のように表現され得る。
【００３６】
Ｉｄｅｍ，ｉ＝Ｉｓｙｍ，ｉ・Ｉｐｉｌｏｔ，ｉ＋Ｑｓｙｍ，ｉ・Ｑｐｉｌｏｔ，ｉ          式（１）
Ｑｄｅｍ，ｉ＝Ｑｓｙｍ，ｉ・Ｉｐｉｌｏｔ，ｉ−Ｉｓｙｍ，ｉ・Ｑｐｉｌｏｔ，ｉ          式（２）
データ復調器328は、検出されたデータシンボル(Ｉｓｙｍ，ｉ＋ｊＱｓｙｍ，ｉ)と、複素共役のフィルタにかけられたパイロットシンボル（Ｉｐｉｌｏｔ，ｉ−ｊＱｐｉｌｏｔ，ｉ）との間で複素乗算を行う。フィルタにかけられたパイロットシンボルによるデータ復調は、周波数ダウンコンバージョンプロセス後の、検出されたデータシンボル内に存在する残余位相誤差を取り除く。検出されたデータシンボル、またはフィルタにかけられたパイロットシンボル、あるいはこの両者は、必要であれば、パイロットプロセッサ324およびデータプロセッサ326の処理遅延の差に相当するように、適切に遅らされる。
【００３７】
レートアキュムレータ334からの回復されたシンボルは、次のように表現され得る。
【数１】
2008524967.tif 000003
【００３８】
式（２）は、全ての割り当てられたフィンガプロセッサからの復調されたシンボルが、適切に時間的に整列させられ、レートアキュムレータ334によって蓄積が行われないと仮定している。
【００３９】
１つのみのフィンガプロセッサが割り当てられ、ＱＰＣＨがフルレートで送られるときは、復調されたシンボルＩｄｅｍおよびＱｄｅｍは、回復されたシンボルＩｄａｔａおよびＱｄａｔａとして直接に与えられ得る。多数のフィンガプロセッサが割り当てられているときは、全ての割り当てられたフィンガプロセッサからの復調されたシンボルは、式（２）に示されているように結合され得る。フルレートより低いＱＰＣＨレートでは、多数のシンボルを蓄積し、回復されたシンボルを得る。これは、単純にするために、式（２）には示されていない。
【００４０】
全ての割り当てられたフィンガプロセッサのパイロット強度推定値336からのパイロット強度推定値は、次のように表現され得る。
【数２】
2008524967.tif 000004
【００４１】
式（３）において、パイロット強度推定値は、フィルタにかけられたパイロットシンボルの二乗の大きさとして得られる。さらに加えて、パイロット強度推定値は、(フィルタリングを行うことなく)検出されたパイロットシンボルに基づいて、またはフィルタにかけられたパイロットシンボルと検出されたパイロットシンボルとの両者に基づいて（例えば、フィルタにかけられたパイロットシンボルと検出されたパイロットシンボルとの複素乗算により）得ることができる。
【数３】
2008524967.tif 000005
【００４２】
パイロット強度推定値は、ＰＩビットが受信されるときに、無線デバイスによって観測されるチャネル状態の推定値として使用され得る。しかしながら、チャネル状態の推定値として、他の量も使用され得る。例えば、ＡＧＣレベルを、受信信号強度インジケータ(received signal strength indicator, RSSI)と組合せて使用し、チャネル状態を推定してもよい。
【００４３】
ＰＩビットが、オン／オフキーイングで信号の配置（signal constellation）の同相成分および直交成分の両者において送信されるとき、ＰＩビットを検出するための良いメトリックは、（Ｉｄａｔａ＋Ｑｄａｔａ）に比例する量である。項（Ｉｄａｔａ＋Ｑｄａｔａ）は、水平線から＋４５°の（１，１）の方向に沿って、Ｉｄａｔａ成分およびＱｄａｔａ成分を与える。実施形態において、メトリックＭＱＰＣＨは、回復されたシンボルとパイロット強度推定値とに基づいて、次のように定められる。
【数４】
2008524967.tif 000006
【００４４】
回復されたシンボルは、フィルタにかけられたパイロットシンボルでデータ復調した後に得られ、したがって、フィルタにかけられたパイロットシンボルからの寄与を含む。式（４）のメトリックＭＱＰＣＨは、単位のない量である。他のメトリックも、回復されたシンボルまたはパイロット強度推定値、あるいはこの両者の何か他の関数に基づいて定められ得る。分かり易くするために、次の記述は、式（４）に示されているメトリックの使用を仮定する。
【００４５】
回復されたシンボルのＩｄａｔａおよびＱｄａｔａは、独立したガウス確率変数（independent Gaussian random variable）である。メトリックＭＱＰＣＨの平均および標準偏差は、次の特徴をもつと示すことができる。
【数５】
2008524967.tif 000007
【数６】
2008524967.tif 000008
【００４６】
オン／オフキーイングを使用するとき、オンのＰＩビットは、ＴｘＰＱＰＣＨ＝ＴｘＰｐｉｌｏｔ＋Δの電力レベルで送信され、オフのＰＩビットは、ゼロの電力で送信される。したがって、メトリックの平均は、送信されたＰＩビットがオンであるか、またはオフであるかに応じる。オフのＰＩビットでは、メトリックは、ゼロ平均と、式（５ｂ）に示されているσｍｅｔｒｉｃの標準偏差とに関するガウス確率変数である。オンのＰＩビットでは、メトリックは、式（５ａ）に示されているμｍｅｔｒｉｃの平均と、式（５ｂ）に示されているσｍｅｔｒｉｃの標準偏差とに関するガウス確率変数である。
【００４７】
適応閾値（adaptive threshold）ＴＨａｄａｐおよびパイロットの閾値(pilot threshold)ＴＨｐｉｌｏｔは、所与のＰＩビットがオンであるか、オフであるか、または消去であるかを判断するのに使用され得る。メトリックの標準偏差は、パイロット強度推定値の関数であるので、適応閾値も、パイロット強度推定値の関数にされ、ＴＨａｄａｐ（ＰＳｅｓｔ）として示され得る。適応閾値は、希望の検出率（detection probability）Ｐｄｅｔまたは希望の偽警報率（false alarm probability）Ｐｆａ、あるいはこの両者を達成するように設計され得る。
【００４８】
検出率とは、所与のＰＩビットがオンとして送信されているとき、そのＰＩビットをオンとして正確に検出する確率である。このＰＩビットを、オンとして送信されているときに、オフとして誤って検出すると、ページメッセージを見落とす結果になり、これは、呼を見落とすことになり得る。別途記載されるように、検出率は、見落としページメッセージの望ましい確率を達成するように選択される。所与のＰＩビットの検出率は、次のように表現され得る。
【数７】
2008524967.tif 000009
【００４９】
なお、Ｑ（ｘ）は、ｘから無限大への正規ガウス分布関数の積分である。Ｑ関数は、技術において知られている。
【００５０】
偽警報率は、所与のＰＩビットがオフとして送信されているときに、そのＰＩビットをオンとして不正確に検出する確率である。ページメッセージが無線デバイスへ送られていないとき、偽警報により、無線デバイスはＰＣＨを処理することになり得る。これは、無線デバイスによる追加の電力消費をもたらし、スタンドバイ時間を短くする。所与のＰＩビットに対する偽警報率は、次のように表現され得る。
【数８】
2008524967.tif 000010
【００５１】
式（７）は、オフのＰＩビットがゼロ平均をもつと仮定しており、オン／オフキーイングの場合である。
【００５２】
オンのＰＩビットの正しい検出は、通常、オフのＰＩビットの誤った検出を避けることよりも、より重要である。したがって、次のように、希望の検出率を達成するように、適応閾値を得ることができる。
【００５３】
ＴＨｍｅｔｒｉｃ（ＰＳｅｓｔ）＝μｍｅｔｒｉｃ＋ｘｄｅｔ・σｍｅｔｒｉｃ          式（８）
なお、ｘｄｅｔは、Ｐｄｅｔ＝Ｑ（ｘｄｅｔ）のような値である。例えば、検出率が９９．９５％であるとき、ｘｄｅｔ＝−３．２９０５である。異なるパイロット強度推定値に対して、異なる適応閾値が、（１）全パイロット強度推定値に対するμｍｅｔｒｉｃの固定値と、（２）異なるパイロット強度推定値に対するσｍｅｔｒｉｃの異なる値とに基づいて得ることができる。
【００５４】
適応閾値は、式（６）および（８）に示されているように、標準偏差σｍｅｔｒｉｃの連続関数であり、σｍｅｔｒｉｃは、式（５ｂ）に示されているように、パイロット強度推定値の連続関数である。適応閾値の記憶、およびメトリックと適応閾値との比較の両者を単純にするために、パイロット強度推定値は、多数のビンまたは範囲へ分割され、適応閾値が、各ビンに対して得ることができる。
【数９】
2008524967.tif 000011
【００５５】
各ビンは、１デシベルの範囲をカバーし得る。次に、適応閾値は、各ビンにおける所与のＰＳｅｓｔの値に対して計算され、ルックアップテーブルに記憶され得る。適応閾値は、異なる電力オフセットΔまたは異なるＱＰＣＨレート、あるいはこの両者に対しても計算され得る。テーブル１は、フルレートおよびΔ＝−３の電力オフセットにおける１３個のビンに対する適応閾値を示している。
【表１】
2008524967.tif 000012
【００５６】
各ビンに対する適応閾値は、そのビンにおける全てのパイロット強度推定値に使用され得る。例えば、−１２の適応閾値は、２９ないし３７のパイロット強度推定値に使用され得る。その代わりに、ルックアップテーブルに記憶されている適応閾値を、(例えば、線形補間を使用して)補間し、各パイロット強度推定値に対する異なる適応閾値を得てもよい。この補間は、異なるビンに対する適応閾値の量子化による誤差を低減することができる。
【００５７】
図４は、広範囲のチャネル状態のもとで、オンとして送信される多数のＰＩビットのメトリックおよびパイロット強度推定値の散布図を示している。各ＰＩビットにおいて、そのＰＩビットに対するパイロット強度推定値は、式（３）に示されているように計算され、ＰＩビットのメトリックは、式（４）に示されているように計算される。図４には、メトリックによって判断される位置の各ＰＩビットの点と、そのＰＩビットのために計算されたパイロット強度推定値の点とが示されている。
【００５８】
図４は、適応閾値のための曲線410、およびパイロットの閾値のための直線420も示している。曲線410は、テーブル１に示されている適応閾値に基づいて生成される。直線420は、良い結果を与えるＴＨｐｉｌｏｔ＝１２のパイロットの閾値に対して生成される。別途記載されるように、曲線410および直線420は、ＰＩビットの検出に使用される。
【００５９】
図５は、ＰＩビットを検出するプロセス500を示している。既に記載したように、ＱＰＣＨを処理して、ＰＩビットに対する回復されたシンボルを得る（ブロック510）。例えば、式（３）に示されているように、ＰＩビットに対するパイロット強度推定値が計算される（ブロック512）。パイロット強度推定値は、ＰＩビットによって観測されるチャネル状態の推定値として使用される。ＰＩビットのメトリックは、例えば、式（４）に示されているように、回復されたシンボルおよびパイロット強度推定値に基づいて計算される(ブロック514)。メトリックに対する適応閾値は、パイロット強度推定値に基づいて、例えば、テーブル１に示されているようなルックアップテーブルを使用して、選択される（ブロック516）。
【００６０】
次に、メトリック、適応閾値、パイロット強度推定値、およびパイロットの閾値に基づいて、ＰＩビットが決定される。図５に示されている実施形態において、パイロット強度推定値がパイロットの閾値よりも小さいときは(ブロック518に対して‘イエス’)、ＰＩビットは、消去として宣言される（ブロック520）。弱いパイロット強度推定値は、チャネル状態が悪く、受信ＰＩビットが不確か過ぎて、決定できないことを示す。パイロット強度推定値がパイロットの閾値よりも大きく(ブロック518に対して‘ノー’)、メトリックが適応閾値よりも小さいときは(ブロック522に対して‘イエス’)、ＰＩビットはオフビットとして宣言される(ブロック524)。そうではなくて、パイロット強度推定値がパイロットの閾値以上であり(ブロック518に対して‘ノー’)、メトリックも適応閾値以上であるときは(ブロック522に対して‘ノー')、ＰＩビットはオンビットとして宣言される(ブロック526）。
【００６１】
図４を再び参照すると、直線420の左側の全ての点、すなわち、パイロットの閾値よりも小さいパイロット強度推定値に対応する点は、消去として宣言される。直線420の右側であり、曲線410より下の全ての点は、オフビットとして宣言される。直線420の右側であり、曲線410より上の全ての点は、オンビットとして宣言される。
【００６２】
図５は、メトリック、適応閾値、パイロット強度推定値、およびパイロットの閾値を使用して、ＰＩビットに対する決定を得る特定の実施形態を示している。決定は、メトリックおよび適応閾値のみに基づいて得ることもできる。例えば、ＰＩビットに対する決定は、メトリックが適応閾値より低いときは、オフであり、メトリックが適応閾値よりも高いときは、オンであり得る(この例では、消去はない)。別の例として、メトリックが所定値（例えば、−３０）よりも低いときは、ＰＩビットに対する決定は、消去であり、メトリックが所定値よりも高く、適応閾値よりも低いときは、オフであり、メトリックが適応閾値よりも高いときは、オンであり得る。
【００６３】
図６は、アイドルの無線通信デバイスによって、ＱＰＣＨおよびＰＣＨを処理し、ページメッセージを受信するために行われるプロセス600を示している。最初に、無線デバイスは、割り当てられたＱＰＣＨスロット内の第１のＰＩビットより前に起き（wake up）、必要な回路をウォームアップ（warm up）する(ブロック610）。次に、無線デバイスは、例えば、図５のプロセス500を使用して、第１のＰＩビットを処理し、このＰＩビットに対する決定を得る（ブロック612）。ブロック614において判断されるように、第１のＰＩビットがオフビットとして検出されると、無線デバイスは、ブロック624へ進み、次の割り当てられたＱＰＣＨスロットまで、スリープする。そうでなければ、無線デバイスは、例えば、同じく、図５のプロセス500を使用して、第２のＰＩビットを処理し、このＰＩビットに対する決定を得る。ブロック618において判断されるように、第２のＰＩビットが、オフビットとして検出されると、無線デバイスは、ブロック624へ進み、次の割り当てられたＱＰＣＨスロットまで、スリープする。
【００６４】
第１および第２のＰＩビットが両者とも、オフビットとして検出されないときは、無線デバイスは、割り当てられたＰＣＨスロットについてＰＣＨを処理し、ページメッセージを得る(ブロック620)。ブロック622において判断されるように、ページメッセージが、追加のタスクを行う必要があると示すときは、無線デバイスはアクティブモードに留まり、要求されたタスクを行う（ブロック626）。そうでなければ、無線デバイスは、次の割り当てられたＱＰＣＨスロット内の第１のＰＩビットまで、スリープする（ブロック624）。図６には示されていないが、無線デバイスは、第１のＰＩビットと第２のＰＩビットとの間、または第２のＰＩビットと割り当てられたＰＣＨスロットとの間、あるいはこの両者の間においてスリープし得る。
【００６５】
同じ適応閾値およびパイロットの閾値は、第１のＰＩビットと第２のＰＩビットの両者に使用され得る。その代わりに、異なる適応閾値または異なるパイロットの閾値、あるいはこの両者が、２つのＰＩビットに対して使用されることもある。
【００６６】
図６に示されているように、割り当てられたＱＰＣＨスロット内の第１のＰＩビットと第２のＰＩビットの両者が、オフとして検出されない（もしくは、オンまたは消去、あるいはこの両者として検出される）ときは、無線デバイスはＰＣＨを処理する。ＰＩビットの何れかが、オフとして検出されるときは、無線デバイスはＰＣＨの処理をスキップする。したがって、ページメッセージの受信は、（１）ＰＩビットをオンとして適切に検出するとき、および（２）ＰＣＨ上で送られたページメッセージを正確に復号するときの両者において予測される。ＰＣＨに対する実際のメッセージ誤り率(message error rate, MER)は、次のように表現され得る。
【００６７】
ＭＥＲｅｆｆ＝ＭＥＲｏｒｉｇ・ＰＱＰＣＨ＋（１−ＰＱＰＣＨ）          式（９）
なお、ＰＱＰＣＨは、ＱＰＣＨの（２つのＰＩビットに対する）総検出率であり、
ＭＥＲｏｒｉｇは、ＰＣＨのもともとの（original）メッセージ誤り率であり、
ＭＥＲｅｆｆは、ＰＣＨの実際の(effective)メッセージ誤り率である。
【００６８】
ＭＥＲｏｒｉｇは、割り当てられたＰＣＨスロットが常に処理されていると仮定して、適度に良いチャネル状態において、ＰＣＨ上でページメッセージを不正確に復号する確率である。ＭＥＲｅｆｆは、ページメッセージを見落とす確率であり、これは、（１）割り当てられたＰＩビットの検出における誤りのために、無線デバイスがＰＣＨを処理するのに失敗するか、または（２）無線デバイスはＰＣＨを処理するが、ページメッセージを誤って復号するときに生じる。ＰＩビットが誤って検出されると（これは、（１−ＰＱＰＣＨ）の確率をもつ）、ページメッセージは見落とされる。ＰＩビットが正確に検出されると（これは、ＰＱＰＣＨの確率をもつ）、ページメッセージは、ＭＥＲｏｒｉｇの確率で誤って復号される。
【００６９】
ＭＥＲｏｒｉｇは、通常、システム設計によって判断される。希望のＭＥＲｅｆｆは、通常、分かっている。要求される総検出率ＰＱＰＣＨは、所与のＭＥＲｏｒｉｇおよび希望のＭＥＲｅｆｆに基づいて、式（９）を使用して、計算され得る。各ＰＩビットの検出率は、次のように表現され得る。
【００７０】
ＰＱＰＣＨ＝Ｐｄｅｔ・Ｐｄｅｔ          式（１０）
したがって、Ｐｄｅｔは、ＭＥＲｏｒｉｇおよびＭＥＲｅｆｆによって判断される。例えば、ＭＥＲｏｒｉｇ＝１％および希望のＭＥＲｅｆｆ＝１．１％（これは、ＭＥＲｏｒｉｇの１０％の劣化に相当する）であるとき、ＰＱＰＣＨ≧９９．９０％およびＰｄｅｔ≧９９．９５％である。したがって、適応閾値は、式（６）および（８）を使用して、要求される検出率Ｐｄｅｔを達成するように設計され得る。
【００７１】
ＭＥＲｏｒｉｇは、異なるチャネル状態に対してほぼ一定であると仮定され得る。ＰｄｅｔおよびＰＱＰＣＨが、適応閾値を使用して、異なるチャネル状態に対してほぼ一定であるときは、ＭＥＲｅｆｆも、異なるチャネル状態に対してほぼ一定である。ＭＥＲｏｒｉｇが、チャネル状態に応じて変わるときは、ＭＥＲｅｆｆが異なるチャネル状態に対してほぼ一定であるように、異なるＰｄｅｔの値が、異なるＰＳｅｓｔの値に対して選択され得る。ほぼ一定のＭＥＲｅｆｆが、異なるチャネル状態に対して同様の性能を与えることが望ましい。
【００７２】
本明細書に記載されたシグナリング検出技術は、ＰＩビット、ＢＩビット、ＣＣＩビット、電源制御装置ビット、確認応答ビット、等のような種々のタイプのシグナリングビットを検出するのに使用され得る。一般に、シグナリング検出に使用されるメトリックは、シグナリングビットが送信されるやり方に応じる。オン／オフキーイングのための例示的なメトリックは、式（４）に示されている。メトリックは、Ｍが任意の整数値であり得る場合に、Ｍ−ＰＳＫ、Ｍ−ＱＡＭ、等のような他の変調方式のための他のやり方で定められ得る。適応閾値は、使用に選ばれたメトリックの統計値(例えば、平均および標準偏差)に依存する。適応閾値は、例えば、検出率、偽警報率、等のような、目的とする１つ以上の確率にも依存する。目的とする１つ以上の確率は、通常、シグナリングビットが使用される目的の応用(例えば、ページメッセージ)、希望の目標(例えば、低いＭＥＲｅｆｆ、より長いスタンドバイ時間、等)、および場合によっては、他の要素によって判断される。したがって、シグナリング検出技術は、他のシグナリングビットおよび目的の応用に適応させられ得る。
【００７３】
シグナリング検出技術は、種々の無線および有線通信システムにも使用され得る。分かり易くするために、この技術は、ｃｄｍａ２０００におけるＱＰＣＨおよびＰＣＨについて具体的に記載された。この技術は、例えば、Ｗ−ＣＤＭＡにおけるページング インジケータ チャネル(paging indicator channel, PICH)のような他のシグナリングチャネルにも使用され得る。この技術は、（上述の）無線デバイスおよび基地局にも使用され得る。
【００７４】
本明細書に記載されているシグナリング検出技術は、種々の手段によって実施され得る。例えば、これらの技術は、ハードウェア、ソフトウェア、またはその組合せにおいて実施され得る。ハードウェアの実施では、シグナリング検出を行うのに使用される処理ユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic devices, PLD）、フィールド プログラマブル ゲート アレイ（field programmable gate array, FPGA）、プロセッサ、制御装置、マイクロコントローラ、マイクロプロセッサ、本明細書に記載されている機能を実行するように設計された他の論理ユニット、またはその組合せの中で実施され得る。
【００７５】
ソフトウェアの実施では、シグナリング検出技術は、本明細書に記載されている機能を行うモジュール(例えば、手続き、機能、等)で実施され得る。ソフトウェアコードは、メモリユニット(例えば、図３のメモリユニット352)に記憶され、プロセッサ(例えば、制御装置350)によって実行され得る。メモリユニットは、プロセッサ内で実施されても、またはプロセッサの外部で実施されてもよい。例えば、制御装置350は、図５のプロセス500または図６のプロセス600、あるいはこの両者を実施し得る。
【００７６】
開示されている実施形態のこれまでの記述は、当業者が本発明を作成または使用するのを可能にするために与えられている。これらの実施形態への種々の変更は、当業者には容易に明らかになり、本明細書に定められている一般的な原理は、本発明の意図および範囲から逸脱することなく、他の実施形態に適用され得る。したがって、本発明は、本明細書に示されている実施形態に制限されることを意図されておらず、本明細書に開示されている原理および斬新な特徴に矛盾しない最も幅広い範囲にしたがう。
【図面の簡単な説明】
【００７７】
【図１】無線通信システムを示す図。
【図２】ｃｄｍａ２０００におけるＱＰＣＨおよびＰＣＨのタイミングの整列を示す図。
【図３】無線デバイスのブロック図を示す図。
【図４】ＰＩビットのメトリックおよび適応閾値の分布を示す図。
【図５】ＰＩビットを検出するプロセスを示す図。
【図６】ＱＰＣＨおよびＰＣＨを処理して、ページメッセージを受信することを示す図。
【符号の説明】
【００７８】
100・・・無線通信システム、110・・・基地局、120・・・無線デバイス、306・・・アンテナ、500,600・・・プロセス。
【図１】
2008524967.tif 000013
【図２】
2008524967.tif 000014
【図３】
2008524967.tif 000015
【図４】
2008524967.tif 000016
【図５】
2008524967.tif 000017
【図６】
2008524967.tif 000018
【国際調査報告】
2008524967.tif 000019
2008524967.tif 000020
2008524967.tif 000021